【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
第１の巻取シリンダを含むタレット組立体と、
汚染物質除去テープのロールが形成されたときに前記第１の巻取シリンダに真空を提供する第１の真空源と、
第１のウェブ切断組立体位置と第２のウェブ切断組立体位置との間を移動可能なウェブ切断組立体とを含む、汚染物質除去テープのロール形成装置であって、
前記ウェブ切断組立体が第１の刃位置と第２の刃位置との間を移動可能な刃を含み、
前記第１の巻取シリンダが巻取シリンダ経路に沿って進行し、前記第１のウェブ切断組立体位置が前記巻取シリンダ経路から離れているとともに前記第２のウェブ切断組立体位置が前記巻取シリンダ経路内にあり、前記第１の刃位置がウェブ経路から離れ、前記第２の刃位置が前記ウェブ経路内にあり、
前記第１の巻取シリンダが第１の端と、前記第１の端と反対側の第２の端と、シリンダ壁と、前記シリンダ壁内の複数の穴とを含み、前記第１の端が前記タレット組立体に取り付けられ、前記第１の真空源が前記第１の巻取シリンダの前記第１の端および前記複数の穴に真空を提供し、
前記装置が、前記第１の巻取シリンダの前記第２の端から離れた第１の位置と前記第１の巻取シリンダの前記第２の端と係合する第２の位置との間を移動可能な支持アーム組立体をさらに含む、
汚染物質除去テープのロール形成装置。
【請求項２】
前記第１の巻取シリンダの前記第２の端および前記複数の穴に真空を提供する第２の真空源をさらに含む、請求項１に記載のロール形成装置。
【請求項３】
第１の端と、前記第１の端と反対側の第２の端と、シリンダ壁と、前記シリンダ壁内の複数の穴とを含む第１の巻取シリンダを含み、前記第１の端が取り付けられたタレット組立体と、
前記第１の巻取シリンダの前記第１の端および前記複数の穴に真空を提供する第１の真空源と、
前記第１の巻取シリンダの前記第２の端から遠い第１の位置と前記第１の巻取シリンダの前記第２の端と係合する第２の位置との間を移動可能な支持アーム組立体と、
前記第１の巻取シリンダの前記第２の端および前記複数の穴に真空を提供する第２の真空源とを含む、
汚染物質除去テープのロール形成装置。
【請求項４】
巻取シリンダ経路に沿って進行する第１の巻取シリンダを含むタレット組立体と、
ウェブ切断組立体と、
第１のウェブガイド位置と第２のウェブガイド位置との間を移動可能なウェブガイドとを含む、汚染物質除去テープのロール形成装置であって、
前記第１のウェブガイド位置が前記巻取シリンダ経路から離れているとともに前記第２のウェブガイド位置が前記巻取シリンダ経路内にあり、
前記ロール形成装置はさらに、第１の真空源と第２の真空源とを含み、前記第１の巻取シリンダが第１の端と、前記第１の端と反対側の第２の端と、シリンダ壁と、前記シリンダ壁内の複数の穴とを含み、前記第１の端が前記タレット組立体に取り付けられ、前記第１の真空源が前記第１の巻取シリンダの前記第１の端および前記複数の穴に真空を提供し、前記第２の真空源が前記第１の巻取シリンダの前記第２の端および前記複数の穴に真空を提供し、
前記ロール形成装置はさらに、前記第１の巻取シリンダの前記第２の端から離れた第１の位置と前記第１の巻取シリンダの前記第２の端と係合する第２の位置との間を移動可能な支持アーム組立体を含む、汚染物質除去テープのロール形成装置。
【請求項５】
ａ）ある長さの汚染物質除去テープを第１のシリンダの周囲に第１のロールに巻き取るステップであって、前記第１のシリンダが第１の端と、前記第１の端と反対側の第２の端と、シリンダ壁と、前記シリンダ壁内の複数の穴とを含むステップと、
ｂ）前記第１のシリンダの前記第１の端および前記複数の前記穴に真空を提供するステップと、
ｃ）支持アーム組立体を前記第１のシリンダの前記第２の端から遠い第１の位置から前記第１のシリンダの前記第２の端と係合する第２の位置へ移動させて前記第１のシリンダの前記第２の端を支持するステップと、
ｄ）前記第１のシリンダの前記第１の端および第２の端ならびに前記複数の穴に真空を提供するステップと、
ｅ）その後前記ある長さのテープをウェブ切断組立体で切断するステップと、
ｆ）前記支持アーム組立体を前記第２の位置から前記第１の位置へ移動させるステップとを含む、汚染物質除去テープのロール形成方法。
【手続補正２】
【補正対象書類名】明細書
【補正対象項目名】００２３
【補正方法】変更
【補正の内容】
【００２３】
本発明はさらに他の代替汚染物質除去テープのロール形成装置を提供する。この装置は第１の巻取シリンダと第２の巻取シリンダとを含むタレット組立体であって、第１の巻取シリンダが第１の端と、第１の端と反対側の第２の端と、シリンダ壁と、シリンダ壁内の複数の穴とを含み、第１の巻取シリンダの第１の端がタレット組立体に取り付けられ、第２の巻取シリンダが第１の端と、第１の端と反対側の第２の端と、シリンダ壁と、シリンダ壁内の複数の穴とを含み、第２の巻取シリンダの第１の端がタレット組立体に取り付けられたタレット組立体と、第１の巻取シリンダの第１の端および複数の穴に真空を提供する第１の真空源と、第１のウェブ切断組立体位置と第２のウェブ切断組立体位置との間を移動可能なウェブ切断組立体であって、第１の刃位置と第２の刃位置との間を移動可能な刃を含むウェブ切断組立体と、第１の巻取シリンダの第２の端および複数の穴に真空を提供する第２の真空源と、第２の巻取シリンダの第２の端と係合するための伸張部材を含み、伸張部材が第２の巻取シリンダの第２の端から遠い第１の位置と第２の巻取シリンダの第２の端と係合する第２の位置との間を移動可能で、第２の巻取シリンダの第２の端に真空を提供するとともに第２の巻取シリンダの第２の端に機械的支持を提供する支持アーム組立体と、第１のウェブガイド位置と第２のウェブガイド位置との間を移動可能なウェブガイドであって、第１のウェブガイド位置が巻取シリンダ経路から離れているとともに第２のウェブガイド位置が巻取シリンダ経路内にあり、ウェブガイドがウェブ切断組立体に取り付けられており、ウェブガイドおよびウェブ切断組立体が第１の位置と第２の位置との間を一緒に移動可能なウェブガイドとを含む。
【手続補正３】
【補正対象書類名】明細書
【補正対象項目名】００４１
【補正方法】変更
【補正の内容】
【００４１】
図２は装置１０中を移動する汚染物質除去材料のウェブ２０２を含む装置の側面図を図示している。汚染物質除去材料のウェブ２０２は裏地２０４および裏地２０４の一方側に接着剤の層２０６を含んでいる。巻取シリンダ１８、２０が回転することにより、巻取シリンダの中心軸を中心に複数の汚染物質除去ウェブ２０２の巻きを形成して汚染物質除去テープ２０８のロール５を形成する。ウェブ２０２の接着剤の層２０６はロール５の中心から離れるように外側を向いている。ウェブ２０２の裏地２０４の非接着剤側はロール５の中心に向かって内側を向いている。
【手続補正４】
【補正対象書類名】明細書
【補正対象項目名】００４３
【補正方法】変更
【補正の内容】
【００４３】
図２は装置１０の初期開始位置を図示している。この位置では、汚染物質除去材料のウェブ２０２は、第１の巻取シリンダ１８が反時計回りに回転するにつれて巻取シリンダの周囲に巻き取られている。ウェブ２０２は接着剤側２０６をシリンダから外側に向けてシリンダの周囲に巻き取られることが好ましい。第１の巻取シリンダが回転している間、第１の真空源（図示せず）は、第１の巻取シリンダ１８の第１の端２２と流体連通しているタレット頭部１６に真空を提供し、最終的には穴２８に真空を提供している。真空源が第１の巻取シリンダ２２の第１の端から空気を抜き続ける際、第１の巻取シリンダ１８内の穴２８は汚染物質除去材料の裏地側２０４に真空を提供する。巻取シリンダに真空を提供して、シリンダ１８の周囲の第１の巻きのウェブ２０２の裏地２０４をシリンダ１８に密着保持する補助をすることが好ましい。巻取シリンダ１８が回転し続ける際、外側の巻きのウェブ２０２の裏地２０４は内側の巻き上の接着剤側２０６に付着することになり、巻き締めテープロール５を提供する。第１の巻取シリンダ１８は、シリンダの周囲に所望の数の巻きを蓄積して汚染物質除テープの所望ロールを形成するまで回転し続けることになる。ウェブスリッタ１３４が汚染物質除去材料の幅広ウェブを数個の汚染物質除去材料に変換するため、巻取シリンダ１８はその軸の周囲に同時に数個のロールを形成し得る。しかしウェブスリッタ１３４は必須ではなく、その代わりにこの装置は汚染物質除去テープの１つの長いロール５を形成し得る。
【手続補正５】
【補正対象書類名】明細書
【補正対象項目名】００５４
【補正方法】変更
【補正の内容】
【００５４】
図８は装置１０上の随意のウェブガイド組立体２２０を図示している。ウェブガイド組立体２２０はウェブ切断組立体４０に好適に装着されたベースプレートを含んでいる。またウェブガイド組立体２２０はベースプレート２２２に装着された孤立板２２４も含んでおり、連結アーム２２６により連結アーム２２６内のボルト２３０およびスロット２２８を用いて定位置に保持されている。またウェブガイド組立体２２０はベースプレート２２２と反対側のピボット２３４により孤立板２２４に装着されたアーム２３６も含んでいる。アーム２３６は第１の端２３８と第２の端２４０とを有する。ばね２３２がアームの第１の端２３８に取り付けられて図８に図示した位置に付勢保持する。ローラ２４２がアーム２３６の第２の端２４０に装着されている。ローラ２４２は巻取シリンダ１８の部分に好適に延びてウェブ２０２を巻取シリンダ１８と接触状態に維持する。ウェブガイド組立体２２０はウェブ２０２が巻取シリンダ１８の周囲に巻かれている際にウェブ２０２をまっすぐに保持する補助をする。これはウェブがシリンダに巻き取られている際にロール内のしわを回避するのに役立つ。ウェブガイド組立体は、ウェブ切断組立体４０が第２の位置に移動した時にローラ２４２が移動ウェブ２０２を第１の巻取シリンダ１８に対して押圧するように設置することが好ましい。ウェブ切断組立体が第１の位置に後退するとき、タレット組立体１４が回転するとウェブガイド組立体２２０は巻取シリンダの進行経路から外れる。ウェブガイド組立体２２０がウェブ切断組立体に装着されているように図示したが、ウェブガイド組立体２２０は独立組立体であってもよく、そしてウェブ切断組立体に続いて巻取シリンダ経路の外側の第１の位置から巻取シリンダ経路内の第２の位置に移動してもよい。
【手続補正６】
【補正対象書類名】明細書
【補正対象項目名】００６１
【補正方法】変更
【補正の内容】
【００６１】
テープロール５が無芯であり且つ伸縮性がある場合には、場合によっては圧縮可能且つ可撓性のある、若干大きく且つテーパ付き外縁部１７０上に伸ばすことができる。本発明の一実施形態において、外縁部の最大直径はテープ収容部の直径より５％大きく、テープロール５の内径はテープ収容部１５４の直径より大きく（テープロール５が回転できないほど大き過ぎてはいけない）且つ外縁部１７０の最大直径より小さい。一旦ロール５が定位置につくと、テープは元のサイズに戻ってテープ２０８のロール５の装填を可能にする若干大きいテープ収容表面１６６の凹部区域内（内縁部１６８と外縁部１７０との間）に収まる。